(57)【要約】【課題】大工等の職人が、天井に対して天井石膏ボードを施工するのにできる限り疲労度がなく、しかも効率よく天井石膏ボードを施工しようとする天井板の張着補助具を提供する。【解決手段】背板と、前記背板の上端部に複数箇所に形成したの針部材と、この背板に対して摺動自在に固定されたＬ字板とこのＬ字板の下部に固定された伸縮性支持杆と、前記Ｌ字板の上面に固定され前方方向に延出された案内板とからなる。【選択図】          図１
0003116161.tif 000002
【実用新案登録請求の範囲】
【考案の詳細な説明】
【考案の詳細な説明】
【技術分野】
【０００１】この考案は、天井石膏ボードを施工の際に、天井石膏ボードの一端部を保持する天井板の張着補助具に関する。
【技術の背景】
【０００２】一定領域の天井に対して、天井石膏ボードを施工の際には、大工等の職人は一枚当たり１２ｋｇ〜１８ｋｇの重量のある天井板の石膏ボードを通常一人でその張りつけ作業を任されるのが常である。
【０００３】しかしながら、このような重量のある天井石膏ボードを足場のよくない脚立に上り職人は作業しなければならない。このような天井石膏ボードを張着の作業は次の二つの作業を通常、職人が一人でしなければならない。第一の作業は、天井石膏ボードの一端を所定の位置で保持させる作業、そして第二の作業は、一定位置で保持された天井石膏ボードをその位置でガン（又は釘）にて止める作業である。これらの作業は常に上向きの変則的な姿勢で作業しなければならないために天井面積が広い場合には疲労により作業の効率が落ちることになる。
【０００４】このような天井ボードを張着するのに、天井下地の下側面に下方から押しつけるようにして天井板を仮に支持する天井板押え具とては例えば特許文献１がある。
また、天井板のぐらつきを防いで安定的に保持できるようにしたものとして例えば特許文献２がある。
更に、天井ボードを整列させて、短時間に野縁に打ちつけるようにした天井ボード用保持具として例えば特許文献３がある。更にまた、労力を要することなく容易に天井ボードを取り付けることができるようにしたものとして例えば特許文献４がある。
【０００５】
【特許文献１】  公開実用新案公報実開平０５−６４３５３号
【特許文献２】  登録実用新案第３０３８１５８号
【特許文献３】  公開特許公報特開２０００−１９８１号
【特許文献４】  公開特許公報特平１１−１０７５１６号
【考案の開示】
【考案が解決しようとする課題】
【０００６】大工等の職人が、天井に対して天井石膏ボードを施工するのにできる限り疲労度がなく、しかも効率よく天井石膏ボードを施工しようとする天井板の張着補助具である。
【課題を解決するための手段】
【０００７】この考案は、背板と、前記背板の上端部に複数箇所に形成したの針部材と、この背板に対して摺動自在に固定されたＬ字板とこのＬ字板の下部に固定支持された押し上げ支持扞と、前記Ｌ字板の上面に固定され前方方向に延出された案内板とからなる。
そして、背板はＬ字板に対して自在に摺動すると共に任意の位置にて固定し得るようにしなあるものである。【０００８】更に、背板は、その上端と案内板の上面との間隙は天井石膏ボードの板厚と等しくすると便利である。【０００９】そして更に、背板はその上端と案内板の上面とが面一とすることもできる。
【考案の効果】
【００１０】この考案による天井板の張着補助具を使用することにより、天井石膏ボードを施工する大工さんのような職人さんの疲労度を少なくすることによって、天井板の張着作業を極めて効率的に行うことができるようになる。
【考案を実施するための最良の形態】
【００１０】この考案は、背板と、前記背板の上端部に複数箇所に形成したの針部材と、この背板に対して摺動自在に固定された逆Ｌ字板とこのＬ字板の下部に固定支持された押し上げ支持扞と、前記逆Ｌ字板の上面に固定され前方方向に延出された案内板とからなる。
【実施例】
【００１１】水平片１と垂直片２とから逆Ｌ字部材３が構成され、この逆Ｌ字部材３の水平片１の下面ほぼ中央部に取付け支持扞取付用雄ネジ４が固定してある。逆Ｌ字部材３を構成する垂直片２の外面に背板５が摺動自在に固定されている。この背板５の上端部６には複数箇所に形成したの針部材７が植立されている。通常この針部材７は、背板５の上端部６の両端部に設けるのがよい。【００１２】更に、天井石膏ボードａの端部が案内され易いように、前記逆Ｌ字板３の水平部１の上面に案内板８を固定し、且つ案内板８はその前方方向がや下方に傾斜するように延出されている。【００１３】前記のように、背板５は、逆Ｌ字板３の裏面において位置の変更をするために、逆Ｌ字板３に対して自在に摺動でき、且つ任意の位置にて固定し得るよう垂直片２に設けられた複数の長溝９に挿通された雄ネジ１０を固定雌ネジ１１によって固定するようにしてある。従って、背板６は、図１に示すように背板５の上端と案内板８の上面１２との間隙は天井石膏ボードａの板厚と等しい位置で背板５を固定することも、図２に示すように背板５の上端が案内板８の上面１２と面一となる位置で固定することも随時に可能である。従って、上記長溝１１を設けることによって天井石膏ボードａの板厚が変わってもその厚さには随時に対応し得る。更に、背板５の上端部１７両端部には上向きに突き刺し針１８が設けられている。【００１４】バネ１３を内装してなる伸縮自在の押し上げ支持扞１４に形成した雌ネジ１５を前記支持扞取付用雄ネジ４に取り付けることができる。即ち、押し上げ支持扞１４の上部に逆Ｌ字部材３を取り付けた状態で天井板の張着補助具２０となる。支持扞１４の下部は床面１６に着地させて使用することになる。【００１５】押し上げ支持扞１４は、外筒２３の内部にバネ１３を内装してあり、このバネ１３の上部には摺動体２４が外筒２３に対して摺動自在に設けられると共に、バネ１３の下部には固定部２５を充填してある。摺動体２４の上端に形成してある雌ネジ１５に支持扞取付用雄ネジ４を螺着することによって天井板の張着補助具２０を組み立し得る。【００１６】即ち、最初の天井石膏ボードａを固定するために、天井板の張着補助具２０の下部を床面２１に着地させ、天井下地１９に背板５の上端部１７両端部には上向きに突き刺し針１８を突き刺すことによって天井板の張着補助具２０は絶えず天井下地１９に対して押圧を加えながら固定することになる。【００１７】背板５は、図１に示すように背板５の上端１７と案内板８の上面１２との間隙は天井石膏ボードａの板厚と等する位置で背板５の上端の突き刺し針１８を突き刺し天井板の張着補助具２０を固定すれば、前方方向がや下方に傾斜するように延出され案内板８に対して、大工等のような職人が天井石膏ボードａの片方部を前方方向に延出した案内板８の前方より押し入れて背板５の前面に触突する位置まで押し込むことによって天井石膏ボードａの片方部は天井板の張着補助具２０によって保持されるので、職人は、容易に天井石膏ボードａをその位置で適数箇所のガンないし釘打ち２２にて固定することによって天井石膏ボードａは不動状態であるからその後のガンないし釘打ち作業は極めて容易となる。【００１８】更に、一旦、最初の天井石膏ボードａを張着固定すると、次なる天井石膏ボードａの張着は、その先の天井石膏ボードａの端部において図２に示すように背板５の上端１７が案内板８の上面１２と面一となる位置において背板６の上端部の上端針部材８にて固定させることによって、次に張着すべき天井石膏ボードａは、先の天井石膏ボードａの前端部に当接する位置まで案内板に案内させることで次に張着すべき天井石膏ボードａが保持され、職人はこれをいわゆるガンと称する板止め具、ないし釘打ち２２にて順次に固定していけばよい。【００１９】背板５の上端１７の突き刺し針１８の長さを随時に変更し、又は取り替えることができるように上端１７の突き刺し針１８に隣接する位置に押しネジ２３を設けてある。
【産業上の利用の可能性】
【００２０】この考案によれば、本願考案の天井板の張着補助具のみで、第一回目の天井石膏ボードを固定した後は背板の上端を案内板の上面と面一にすることのみの操作で順次に天井石膏ボードを疲労を覚えずに固定し得る。
【図面の簡単な説明】
【００２１】
【図１】初回の天井石膏ボードの施工時の状態を示す断面図である。
【図２】二回目以降の天井石膏ボードの施工時の状態を示す断面図である。
【図３】施工使用時の概略を示す説明図である。
【図４】天井板の張着補助具の上部のみを示す斜視図である。
【図５】逆Ｌ字部材の水平片の中央部に固定さた支持扞取付用雄ネジを示す断面図でしをる。
【図６】逆Ｌ字部材の構成部材である垂直片と背板との固定を示す一部断面図である。
【符号の説明】
１．．．水平片
２．．．垂直片
３．．．逆Ｌ字部材
４．．．支持扞取付用雄ネジ
５．．．背板
６．．．上端部
７．．．針部材
８．．．案内板
９．．．長溝
１０．．雄ネジ
１１．．固定雌ネジ
１２．．上面
１３．．バネ
１４．．押し上げ支持扞
１５．．雌ネジ
１６．．床面
１７．．上端部
１８．．突き刺し針
１９．．天井下地
２０．．天井板の張着補助具
２１．．床面
２２．．ガンないし釘打ち
２３．．外筒
２４．．摺動体
２５．．固定部
ａ  ．．天井石膏ボード
【図１】
0003116161.tif 000003
【図２】
0003116161.tif 000004
【図３】
0003116161.tif 000005
【図５】
0003116161.tif 000006
【図６】
0003116161.tif 000007
【手続補正書】
【提出日】平成17年8月10日(2005.8.10)
【手続補正１】
【補正対象書類名】実用新案登録請求の範囲
【補正対象項目名】全文
【補正方法】変更
【補正の内容】
【実用新案登録請求の範囲】
【請求項１】
背板と、前記背板の上端部に複数箇所に形成したの針部材と、この背板に対して摺動自在に固定されたＬ字板とこのＬ字板の下部に固定支持された押し上げ支持扞と、前記Ｌ字板の上面に固定され前方方向に延出された案内板とからなることを特徴とする天井板の張着補助具。
【請求項２】
背板はＬ字板に対して自在に摺動すると共に任意の位置にて固定し得る請求項１記載の天井板の張着補助具。
【請求項３】
背板はその上端と案内板の上面との間隙は天井石膏ボードの板厚と等しい請求項１又は２記載の天井板の張着補助具。
【請求項４】
背板はその上端と案内板の上面とが面一とした請求項１又は２記載の天井板の張着補助具。
【手続補正２】
【補正対象書類名】明細書
【補正対象項目名】００２１
【補正方法】変更
【補正の内容】
【００２１】
【図面の簡単な説明】
【図１】
初回の天井石膏ボードの施工時の状態を示す断面図である。
【図２】
二回目以降の天井石膏ボードの施工時の状態を示す断面図である。
【図３】
施工使用時の概略を示す説明図である。
【図４】
天井板の張着補助具の上部のみを示す斜視図である。
【図５】
逆Ｌ字部材の水平片の中央部に固定さた支持扞取付用雄ネジを示す断面図でしをる。
【図６】
逆Ｌ字部材の構成部材である垂直片と背板との固定を示す一部断面図である。
【符号の説明】
１．．．水平片
２．．．垂直片
３．．．逆Ｌ字部材
４．．．支持扞取付用雄ネジ
５．．．背板
６．．．上端部
７．．．針部材
８．．．案内板
９．．．長溝
１０．．雄ネジ
１１．．固定雌ネジ
１２．．上面
１３．．バネ
１４．．押し上げ支持扞
１５．．雌ネジ
１６．．床面
１７．．上端部
１８．．突き刺し針
１９．．天井下地
２０．．天井板の張着補助具
２１．．床面
２２．．ガンないし釘打ち
２３．．外筒
２４．．摺動体
２５．．固定部
ａ  ．．天井石膏ボード
【手続補正３】
【補正対象書類名】図面
【補正対象項目名】全図
【補正方法】変更
【補正の内容】
【図１】
0003116161.tif 000008
【図２】
0003116161.tif 000009
【図３】
0003116161.tif 000010
【図４】
0003116161.tif 000011
【図５】
0003116161.tif 000012
【図６】
0003116161.tif 000013